(57)【要約】【課題】木質材の燃焼火炎による安らぎを得ることができる木質ペレットストーブの燃焼室を提供する。【解決手段】木質ペレットストーブの燃焼室３は、木質ペレット燃料を燃焼するファイヤポット１２と、このファイヤポット１２を内設して内外間を気密に画成する周壁３ｂとからなり、この周壁３ｂには、ファイヤポット１２にペレット燃料を供給するペレット供給口３ｃおよび燃焼気を給排する強制通気部と連通するための通気口２１ａ，２２ａを形成して構成され、上記周壁３ｂの前面には、内外を画成しつつ内方の透視が可能な透明板によって封鎖した正面開口３ａを形成し、この正面開口３ａの透明板５は、少なくともその一部を拡大レンズ６によって形成し、この拡大レンズは、ファイヤポットの火炎位置を越える焦点距離とする。【選択図】      図１
2004293930.tif 000002
【特許請求の範囲】
【請求項１】
木質ペレット燃料を燃焼する筒状のファイヤポットと、このファイヤポットを内設して内外間を気密に画成する周壁とからなり、この周壁には、ファイヤポットにペレット燃料を供給するペレット供給口および燃焼気を給排する強制通気部と連通するための通気口を形成した木質ペレットストーブの燃焼室において、
上記周壁の前面には、内外を画成しつつ内方の透視が可能な透明板によって封鎖した正面開口を形成し、この正面開口の透明板は、少なくともその一部を拡大レンズによって形成し、この拡大レンズは、ファイヤポットの火炎位置を越える焦点距離を有することを特徴とする木質ペレットストーブの燃焼室。
【請求項２】
前記拡大レンズは、全方位について一様の屈折性を有する等方性のサーキュラレンズによって形成したことを特徴とする請求項１記載の木質ペレットストーブの燃焼室。
【請求項３】
前記拡大レンズは、特定の方位角について一様な屈折性を有するリニアレンズによって形成し、このリニアレンズを左右方向に火炎像を拡大透視する向きに配置したことを特徴とする請求項１記載の木質ペレットストーブの燃焼室。
【請求項４】
前記拡大レンズは、焦点を共通とする多段配列のレンズ要素からなるフレネルレンズによって形成したことを特徴とする請求項１記載の木質ペレットストーブの燃焼室。
【発明の詳細な説明】
【０００１】
【発明の属する技術分野】
本発明は、木質ペレットを燃料とする木質ペレットストーブの燃焼室に関し、特に、効率的な燃焼を確保しつつ、木質材の燃焼火炎による安らぎを得ることができる木質ペレットストーブの燃焼室に関する。
【０００２】
【従来の技術】
木質ペレットストーブは、燃料の木質ペレットを貯留するタンク、木質ペレットを燃焼する燃焼室、その補機部等から構成される。燃焼室は、木質ペレット燃料を燃焼する筒状のファイヤポットと、このファイヤポットを内設して内外間を気密に画成する周壁とを備えて構成され、周壁には、正面の覗き窓のほか、タンクと接続してファイヤポットにペレット燃料を供給するペレット供給口と、燃焼気を流通する通気口とを備えて構成される。通気口は、補機部に備えた強制給排機構と接続する。
【０００３】
上記木質ペレットストーブは、タンクからペレット供給口を介して木質ペレットをファイヤポットに供給することにより、室内空気を汚すことなくペレットを燃焼し、補機部に備えた強制給排機構によって効率よく強力な火力を得ることができる。
【０００４】
【発明が解決しようとする課題】
しかしながら、上記木質ペレットストーブにおける燃焼は、強制通気によって効率よく強い火力が得られる反面、その強制給排機構による機械的な燃焼火炎ゆえ、覗き窓から木質材料の燃焼を透視できるにもかかわらず、外観上の温かみに欠けるという側面を有していた。
【０００５】
本発明の目的は、効率的な燃焼を確保しつつ、木質材の燃焼火炎による安らぎを得ることができる木質ペレットストーブの燃焼室を提供することにある。
【０００６】
【課題を解決するための手段】
上記課題を解決するために、請求項１に係る発明は、木質ペレット燃料を燃焼する筒状のファイヤポットと、このファイヤポットを内設して内外間を気密に画成する周壁とからなり、この周壁には、ファイヤポットにペレット燃料を供給するペレット供給口および燃焼気を給排する強制通気部と連通するための通気口を形成した木質ペレットストーブの燃焼室において、上記周壁の前面には、内外を画成しつつ内方の透視が可能な透明板によって封鎖した正面開口を形成し、この正面開口の透明板は、少なくともその一部を拡大レンズによって形成し、この拡大レンズは、ファイヤポットの火炎位置を越える焦点距離を有することを特徴とする。
【０００７】
上記燃焼室はその周壁によって内外が画成され、内設したファイヤポットで強制通気部により燃焼されて比較的小さな火炎により強い火力を発生する。この火炎は、正面開口からその透明板を介して視認することができ、その透視火炎像は、透明板の少なくとも一部に形成した拡大レンズにより拡大火炎像として透視される。
【０００８】
請求項２に係る発明は、前記拡大レンズは、全方位について一様の屈折性を有する等方性のサーキュラレンズによって形成したことを特徴とする。この木質ペレットストーブの燃焼室は、等方性のサーキュラレンズによって全方位について等方拡大された火炎像が得られる。
【０００９】
請求項３に係る発明は、前記拡大レンズは、特定の方位角について一様な屈折性を有するリニアレンズによって形成し、このリニアレンズを左右方向に火炎像を拡大透視する向きに配置したことを特徴とする。この木質ペレットストーブの燃焼室は、リニアレンズにより燃焼室の正面を中心に左右に広い範囲で幅方向に拡大された透視火炎像の視認が可能となる。
【００１０】
請求項４に係る発明は、前記拡大レンズは、焦点を共通とする多段配列のレンズ要素からなるフレネルレンズによって形成したことを特徴とする。この木質ペレットストーブの燃焼室は、サーキュラフレネルレンズ、リニアフレネルレンズ等によって拡大レンズの突出厚さが抑えられる。
【００１１】
【発明の実施の形態】
上記技術思想に基づき具体的に構成された実施の形態について以下に図面を参照しつつ説明する。
【００１２】
本発明に係る燃焼部を備える木質ペレットストーブの全体構成を説明する。図１は、木質ペレットストーブの正面図である。木質ペレットストーブ１は、燃料である木質ペレットＡを入れるタンク２の蓋２ａを開閉可能に頂部に備え、タンク２の前側位置に燃焼室３を備え、この燃焼室３の正面側に覗き窓３ａを形成して構成される。また、図２の木質ペレットストーブの透視側面図に示すように、開閉可能な蓋２ａの中に加湿部４を構成し、燃焼室３の後方にタンク２、タンク２の下方に燃焼気や温風用の強制給排機構による補機部を配置する。
【００１３】
燃焼室３には、その上部正面に開口する複数のパイプからなる熱交換部１１、燃焼室３の周壁３ｂの背面部に開口する燃料供給口３ｃ、この燃料供給口３ｃから燃料を受ける受部１２ａを備えて角型等の上下に抜けた筒状のファイヤポット１２、このファイヤポット１２内に火床を形成保持する火格子１３、その下方に図示せぬ灰受を備える。
【００１４】
燃焼室３の覗き窓３ａは、透明板５によって閉鎖するとともに、少なくともその一部を凸レンズ等の拡大レンズ６によって拡大透視部を形成し、または、透明板５に拡大レンズ６を貼り付けることによって拡大透視部を形成する。拡大透視部の焦点位置は、ファイヤポット１２の火炎の後方に定める。
【００１５】
拡大透視部は、全方位について一様の屈折性を有する等方性のサーキュラレンズによって形成する。このサーキュラレンズにより、全方位について等方拡大された火炎像が得られるので、燃焼室の正面を中心とする広い範囲で大きな透視火炎像を愉しむことができる。
【００１６】
また、上記に変えて特定の方位角について一様な屈折性を有するリニアレンズによって形成し、このリニアレンズ６ａを図３の別例の正面図に示すように左右方向に火炎像を拡大透視する向きに配置することにより、燃焼室の正面を中心に左右に広い範囲で幅方向に拡大された透視火炎像の視認が可能となる。この場合は、ストーブの正面の広い範囲の床上において幅広の拡大透視火炎像による暖炉風の雰囲気を愉しむことができる。
【００１７】
さらに、共通焦点のレンズ要素を多段配列したサーキュラタイプまたはリニアタイプのフレネルレンズによって拡大透視部６を形成することにより、突出厚さを抑えて覗き窓３ａをスマートに構成することができる。この場合、フレネルレンズシートを透明板５の全面に貼ることにより、覗き窓３ａの全面を拡大透視部６として構成することができるので、大きな透視火炎像を容易に得ることができるほか、拡大透視部６の平面形状に応じた火炎模様のデザインを愉しむことができる。
【００１８】
加湿部４は、正面側の燃焼室３の上部に接して取付けた蒸発皿であり、この蒸発皿に一定レベルで水を供給するバランスタンク４ａを取り外し可能に装着する。バランスタンク４ａには、着座によって開く蓋を備え、図示せぬ下端開口を水没可能な位置に形成し、大気圧とのバランスにより水位を常に一定レベルに維持するべく供給することができる。
【００１９】
補機部について具体的に説明すると、燃焼室３の下部は燃焼用空気の吸気路２１と連通し、また、燃焼室３の後部には、燃焼気を下方に案内する排気路２２と、この排気路２２から燃焼気を吸引排出する排気ファン２３とを備える。吸気路２１の入口と排気ファン２３の出口は図示せぬ二重管により戸外と連通することにより、排気ファン２３を中心としていわゆるＦＦ式の強制通気部を構成する。吸気路２１は、排気ファン２３の吸引力によって外気を燃焼部に案内し、燃焼気は排気路２２から排気ファン２３を介して外部に放出される。
【００２０】
燃焼室後部の排気路２２の後側に接して熱交換部１１の各パイプと連通する案内路２４とこの案内路２４に室内空気を送り込む熱交換用ファン２５を備える。この熱交換用ファン２５により室内空気を案内路２４に送り、この案内路２４により高温の排気路２２からタンク２側への熱伝達を抑えつつ熱交換部１１に室内空気を送る。この熱交換部１１によって加熱された空気は、その正面開口から室内に吐出されて室内を加温する。
【００２１】
タンク２の下部には、タンク内の燃料を掬い上げる螺旋搬送機構２６を備え、その上端から燃料を燃焼室内に案内する傾斜案内路２７を備える。タンク２内の燃料Ａは、駆動信号に応じて螺旋搬送機構２６によって掬い上げられ、傾斜案内路２７を介して燃焼部のファイヤポット１２に供給される。
【００２２】
燃焼部には、ファイヤポット１２に着火用のヒータ１２ｂを備えることによって自動点火を可能とし、また、図示せぬ火掻手段によって定期的に火掻操作を行うことにより、燃えかすが残留する場合でも燃えかすを崩して灰受けに落下させることができるので、ペレット燃料を追加供給して燃焼を自動継続することができる。
【００２３】
【発明の効果】
本発明の木質ペレットストーブの燃焼室は以下の効果を奏する。
上記木質ペレットストーブの燃焼室は、拡大レンズにより燃焼火炎を拡大透視できることから、強制通気による効率的な燃焼を確保しつつ、ファイヤポット部の僅かな火炎によっても暖炉の如くの木質材の燃焼火炎により安らぎを得ることができる
【００２４】
等方性のサーキュラレンズによって全方位に等方拡大された火炎像が得られるように構成した場合は、燃焼室の正面を中心とする広い範囲で大きな透視火炎像を愉しむことができる。
【００２５】
リニアレンズによって左右方向に火炎像を拡大透視できるようにした場合は、燃焼室の正面を中心に左右に広い範囲で幅方向に拡大された透視火炎像の視認が可能となるので、ストーブの正面の広い範囲の床上において幅広の拡大透視火炎像による暖炉風の雰囲気を愉しむことができる。
【００２６】
フレネルレンズによって拡大レンズを薄く構成した場合は、サーキュラフレネルレンズ、リニアフレネルレンズ等によって透明板からの突出厚さが抑えられるので、覗き窓の分厚いレンズによる違和感を解消して落ち着いた雰囲気を得ることができる。
【図面の簡単な説明】
【図１】木質ペレットストーブの正面図、
【図２】図１の木質ペレットストーブの透視側面図
【図３】別例の木質ペレットストーブの正面図
【符号の説明】
１  木質ペレットストーブ
２  タンク
３  燃焼室
３ａ  正面開口（覗き窓）
３ｂ  周壁
３ｃ  ペレット供給口
４  蒸発皿（加湿部）
４ａ  バランスタンク
５  透明板
６  拡大レンズ
６ａ  拡大レンズ
１１  熱交換部
１２  ファイヤポット
１２ａ  受部
１３  火格子
２１  吸気路
２１ａ，２２ａ  通気口
２２  排気路
２３  排気ファン（強制通気部）
Ａ  木質ペレット
【図１】
2004293930.tif 000003
【図２】
2004293930.tif 000004
【図３】
2004293930.tif 000005